(57)【要約】【課題】交換局ＭＭＥに、各コネクションが、移動局ＵＥとの間で確立しているものであるのか、或いは、移動局ＵＥとして動作しているリレーノードＲＮとの間で確立しているものであるのかについて判別させる。【解決手段】本発明に係る移動通信方法は、リレーノードＲＮが、交換局ＭＭＥとの間でコネクションを確立する際に、所定信号を送信する工程と、交換局ＭＭＥが、受信した所定信号内の所定情報に設定されている内容に基づいて、コネクションが、移動局ＵＥとの間で確立されるコネクションであるか、或いは、リレーノードＲＮとの間で確立されるコネクションであるかについて判定する工程とを有する。【選択図】図５
2011030185.tif 000002
【特許請求の範囲】
【請求項１】
リレーノードが、交換局との間でコネクションを確立する際に、所定信号を送信する工程と、
前記交換局が、受信した前記所定信号内の所定情報に設定されている内容に基づいて、前記コネクションが、移動局との間で確立されるコネクションであるか、或いは、リレーノードとの間で確立されるコネクションであるかについて判定する工程とを有することを特徴とする移動通信方法。
【請求項２】
前記所定信号は、「Ｉｎｉｔｉａｌ  ＵＥ  ＭＥＳＳＡＧＥ」であり、
前記所定情報は、「ＲＲＣ  Ｅｓｔａｂｌｉｓｈｍｅｎｔ  ｃａｕｓｅ」であることを特徴とする請求項１に記載の移動通信方法。
【請求項３】
前記所定信号は、「ＵＥ  ＣＡＰＡＢＩＬＩＴＹ  ＩＮＦＯ  ＩＮＤＩＣＡＴＩＯＮ」であり、
前記所定情報は、「ＵＥ  Ｒａｄｉｏ  Ｃａｐａｂｉｌｉｔｙ」であることを特徴とする請求項１に記載の移動通信方法。
【請求項４】
前記所定信号は、「Ｓ１  ＳＥＴＵＰ  ＲＥＱＵＥＳＴ」であり、
前記所定情報は、「Ｇｌｏｂａｌ  ｅＮＢ  ＩＤ」であることを特徴とする請求項１に記載の移動通信方法。
【請求項５】
前記所定信号は、「ＮＡＳ  ＭＥＳＳＡＧＥ」であり、
前記所定情報は、「ＩＭＳＩ」又は「ＩＭＥＩ」であることを特徴とする請求項１に記載の移動通信方法。
【請求項６】
前記「ＮＡＳ  ＭＥＳＳＡＧＥ」は、「ＡＴＴＡＣＨ  ＲＥＱＵＥＳＴ」、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」の少なくとも１つであることを特徴とする請求項５に記載の移動通信方法。
【請求項７】
コネクションを確立する際に、受信した所定信号内の所定情報に設定されている内容に基づいて、該コネクションが、移動局との間で確立されるコネクションであるか、或いは、リレーノードとの間で確立されるコネクションであるかについて判定するように構成されている判定部を具備することを特徴とする交換局。
【請求項８】
前記所定信号は、「Ｉｎｉｔｉａｌ  ＵＥ  ＭＥＳＳＡＧＥ」であり、
前記所定情報は、「ＲＲＣ  Ｅｓｔａｂｌｉｓｈｍｅｎｔ  ｃａｕｓｅ」であることを特徴とする請求項７に記載の交換局。
【請求項９】
前記所定信号は、「ＵＥ  ＣＡＰＡＢＩＬＩＴＹ  ＩＮＦＯ  ＩＮＤＩＣＡＴＩＯＮ」であり、
前記所定情報は、「ＵＥ  Ｒａｄｉｏ  Ｃａｐａｂｉｌｉｔｙ」であることを特徴とする請求項７に記載の交換局。
【請求項１０】
前記所定信号は、「Ｓ１  ＳＥＴＵＰ  ＲＥＱＵＥＳＴ」であり、
前記所定情報は、「Ｇｌｏｂａｌ  ｅＮＢ  ＩＤ」であることを特徴とする請求項７に記載の交換局。
【請求項１１】
前記所定信号は、「ＮＡＳ  ＭＥＳＳＡＧＥ」であり、
前記所定情報は、「ＩＭＳＩ」又は「ＩＭＥＩ」であることを特徴とする請求項７に記載の交換局。
【請求項１２】
前記「ＮＡＳ  ＭＥＳＳＡＧＥ」は、「ＡＴＴＡＣＨ  ＲＥＱＵＥＳＴ」、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」の少なくとも１つであることを特徴とする請求項１１に記載の交換局。
【請求項１３】
交換局との間でコネクションを確立する際に、該交換局に対して送信する所定信号内の所定情報に、該コネクションが、移動局との間で確立されるコネクションではなく、リレーノードとの間で確立されるコネクションであることを示す内容を設定するように構成されている設定部を具備することを特徴とするリレーノード。
【請求項１４】
前記所定信号は、「Ｉｎｉｔｉａｌ  ＵＥ  ＭＥＳＳＡＧＥ」であり、
前記所定情報は、「ＲＲＣ  Ｅｓｔａｂｌｉｓｈｍｅｎｔ  ｃａｕｓｅ」であることを特徴とする請求項１３に記載のリレーノード。
【請求項１５】
前記所定信号は、「ＵＥ  ＣＡＰＡＢＩＬＩＴＹ  ＩＮＦＯ  ＩＮＤＩＣＡＴＩＯＮ」であり、
前記所定情報は、「ＵＥ  Ｒａｄｉｏ  Ｃａｐａｂｉｌｉｔｙ」であることを特徴とする請求項１３に記載のリレーノード。
【請求項１６】
前記所定信号は、「Ｓ１  ＳＥＴＵＰ  ＲＥＱＵＥＳＴ」であり、
前記所定情報は、「Ｇｌｏｂａｌ  ｅＮＢ  ＩＤ」であることを特徴とする請求項１３に記載のリレーノード。
【請求項１７】
前記所定信号は、「ＮＡＳ  ＭＥＳＳＡＧＥ」であり、
前記所定情報は、「ＩＭＳＩ」又は「ＩＭＥＩ」であることを特徴とする請求項１３に記載のリレーノード。
【請求項１８】
前記「ＮＡＳ  ＭＥＳＳＡＧＥ」は、「ＡＴＴＡＣＨ  ＲＥＱＵＥＳＴ」、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」の少なくとも１つであることを特徴とする請求項１７に記載のリレーノード。
【請求項１９】
リレーノードが、交換局との間でコネクションを確立する際に、無線基地局からの問い合わせ信号に応じて、該無線基地局に対して、該コネクションが該リレーノードとの間で確立されるコネクションであることを示す通知信号を送信する工程と、
前記無線基地局が、前記交換局に対して、前記コネクションが前記リレーノードとの間で確立されるコネクションであることを示す所定情報を含む所定信号を送信する工程とを有することを特徴とする移動通信方法。
【請求項２０】
前記問い合わせ信号は、「ＵＥ  Ｃａｐａｂｉｌｉｔｙ  Ｅｎｑｕｉｒｙ」であり、
前記通知信号は、「ＵＥ  Ｃａｐａｂｉｌｉｔｙ  Ｉｎｆｏｒｍａｔｉｏｎ」であり、
前記所定信号は、「ＵＥ  ＣＡＰＡＢＩＬＩＴＹ  ＩＮＦＯ  ＩＮＤＩＣＡＴＩＯＮ」であり、
前記所定情報は、「ＵＥ  Ｒａｄｉｏ  Ｃａｐａｂｉｌｉｔｙ」であることを特徴とする請求項１９に記載の移動通信方法。
【請求項２１】
交換局との間でコネクションを確立する際に、無線基地局からの問い合わせ信号に応じて、該無線基地局に対して、該コネクションが該リレーノードとの間で確立されるコネクションであることを示す通知信号を送信するように構成されている通知部を具備することを特徴とするリレーノード。
【請求項２２】
前記問い合わせ信号は、「ＵＥ  Ｃａｐａｂｉｌｉｔｙ  Ｅｎｑｕｉｒｙ」であり、
前記通知信号は、「ＵＥ  Ｃａｐａｂｉｌｉｔｙ  Ｉｎｆｏｒｍａｔｉｏｎ」であることを特徴とする請求項２１に記載のリレーノード。
【請求項２３】
リレーノードが、交換局との間でコネクションを確立する際に、該リレーノードに対して、問い合わせ信号を送信することによって、該リレーノードから、該コネクションが該リレーノードとの間で確立されるコネクションであることを示す通知信号を取得するように構成されている受信部と、
前記交換局に対して、前記コネクションが前記リレーノードとの間で確立されるコネクションであることを示す所定情報を含む所定信号を送信するように構成されている送信部とを具備することを特徴とする無線基地局。
【請求項２４】
前記問い合わせ信号は、「ＵＥ  Ｃａｐａｂｉｌｉｔｙ  Ｅｎｑｕｉｒｙ」であり、
前記通知信号は、「ＵＥ  Ｃａｐａｂｉｌｉｔｙ  Ｉｎｆｏｒｍａｔｉｏｎ」であり、
前記所定信号は、「ＵＥ  ＣＡＰＡＢＩＬＩＴＹ  ＩＮＦＯ  ＩＮＤＩＣＡＴＩＯＮ」であり、
前記所定情報は、「ＵＥ  Ｒａｄｉｏ  Ｃａｐａｂｉｌｉｔｙ」であることを特徴とする請求項２３に記載の無線基地局。
【発明の詳細な説明】
【技術分野】
【０００１】
本発明は、移動通信方法、交換局、リレーノード及び無線基地局に関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、現在のＬＴＥ-Ａｄｖａｎｃｅｄ方式の移動通信システムでは、交換局ＭＭＥから見ると、リレーノードＲＮは、無線中継基地局として動作することもあれば、移動局ＵＥとして動作することもある。
【０００６】
したがって、交換局ＭＭＥは、各コネクション（例えば、Ｅ-ＲＡＢ）が、移動局ＵＥとの間で確立しているものであるのか、或いは、リレーノードＲＮとの間で確立しているものであるのかについて判別することができないという問題点があった。
【０００７】
そこで、本発明は、上述の課題に鑑みてなされたものであり、交換局ＭＭＥに、各コネクション（例えば、Ｅ-ＲＡＢ）が、移動局ＵＥとの間で確立しているものであるのか、或いは、リレーノードＲＮとの間で確立しているものであるのかについて判別させることができる移動通信方法、交換局、リレーノード及び無線基地局を提供することを目的とする。
【課題を解決するための手段】
【０００８】
本発明の第１の特徴は、移動通信方法であって、リレーノードが、交換局との間でコネクションを確立する際に、所定信号を送信する工程と、前記交換局が、受信した前記所定信号内の所定情報に設定されている内容に基づいて、前記コネクションが、移動局との間で確立されるコネクションであるか、或いは、リレーノードとの間で確立されるコネクションであるかについて判定する工程とを有することを要旨とする。
【０００９】
本発明の第２の特徴は、交換局であって、コネクションを確立する際に、受信した所定信号内の所定情報に設定されている内容に基づいて、該コネクションが、移動局との間で確立されるコネクションであるか、或いは、リレーノードとの間で確立されるコネクションであるかについて判定するように構成されている判定部を具備することを要旨とする。
【００１０】
本発明の第３の特徴は、リレーノードであって、交換局との間でコネクションを確立する際に、該交換局に対して送信する所定信号内の所定情報に、該コネクションが、移動局との間で確立されるコネクションではなく、リレーノードとの間で確立されるコネクションであることを示す内容を設定するように構成されている設定部を具備することを要旨とする。
【００１１】
本発明の第４の特徴は、移動通信方法であって、リレーノードが、交換局との間でコネクションを確立する際に、無線基地局からの問い合わせ信号に応じて、該無線基地局に対して、該コネクションが該リレーノードとの間で確立されるコネクションであることを示す通知信号を送信する工程と、前記無線基地局が、前記交換局に対して、前記コネクションが前記リレーノードとの間で確立されるコネクションであることを示す所定情報を含む所定信号を送信する工程とを有することを要旨とする。
【００１２】
本発明の第５の特徴は、リレーノードであって、交換局との間でコネクションを確立する際に、無線基地局からの問い合わせ信号に応じて、該無線基地局に対して、該コネクションが該リレーノードとの間で確立されるコネクションであることを示す通知信号を送信するように構成されている通知部を具備することを要旨とする。
【００１３】
本発明の第６の特徴は、無線基地局であって、リレーノードが、交換局との間でコネクションを確立する際に、該リレーノードに対して、問い合わせ信号を送信することによって、該リレーノードから、該コネクションが該リレーノードとの間で確立されるコネクションであることを示す通知信号を取得するように構成されている受信部と、前記交換局に対して、前記コネクションが前記リレーノードとの間で確立されるコネクションであることを示す所定情報を含む所定信号を送信するように構成されている送信部とを具備することを要旨とする。
【発明の効果】
【００１４】
以上説明したように、本発明によれば、交換局ＭＭＥに、各コネクション（例えば、Ｅ-ＲＡＢ）が、移動局ＵＥとの間で確立しているものであるのか、或いは、リレーノードＲＮとの間で確立しているものであるのかについて判別させることができる移動通信方法、交換局、リレーノード及び無線基地局を提供することができる。
【図面の簡単な説明】
【００１５】
【図１】本発明の第１の実施形態に係る移動通信システムの全体構成図である。
【図２】本発明の第１の実施形態に係るリレーノード及び交換局の機能ブロック図である。
【図３】本発明の第１の実施形態に係る移動通信システムにおける「ＩＮＩＴＩＡＬ  ＵＥ  ＭＥＳＳＡＧＥ」を用いた通知について説明するための図である。
【図４】本発明の第１の実施形態に係る移動通信システムにおける「ＩＮＩＴＩＡＬ  ＵＥ  ＭＥＳＳＡＧＥ」を用いた通知について説明するための図である。
【図５】本発明の第１の実施形態に係る移動通信システムにおける「ＵＥ  ＣＡＰＡＢＩＬＩＴＹ  ＩＮＦＯ  ＩＮＤＩＣＡＴＩＯＮ」を用いた通知について説明するための図である。
【図６】本発明の第１の実施形態に係る移動通信システムにおける「ＵＥ  ＣＡＰＡＢＩＬＩＴＹ  ＩＮＦＯ  ＩＮＤＩＣＡＴＩＯＮ」を用いた通知について説明するための図である。
【図７】本発明の第１の実施形態に係る移動通信システムにおける「Ｓ１  ＳＥＴＵＰ  ＲＥＱＵＥＳＴ」を用いた通知について説明するための図である。
【図８】本発明の第１の実施形態に係る移動通信システムにおける「Ｓ１  ＳＥＴＵＰ  ＲＥＱＵＥＳＴ」を用いた通知について説明するための図である。
【図９】本発明の第１の実施形態に係る移動通信システムにおける「ＡＴＴＡＣＨ  ＲＥＱＵＥＳＴ」を用いた通知について説明するための図である。
【図１０】本発明の第１の実施形態に係る移動通信システムにおける「ＡＴＴＡＣＨ  ＲＥＱＵＥＳＴ」を用いた通知について説明するための図である。
【図１１】本発明の変更例１に係る無線基地局の機能ブロック図である。
【図１２】本発明の変更例１に係る移動通信システムについて説明するための図である。
【図１３】本発明の変更例１に係る移動通信システムについて説明するための図である。
【発明を実施するための形態】
【００１６】
（本発明の第１の実施形態に係る移動通信システム）
図１乃至図１０を参照して、本発明の第１の実施形態に係る移動通信システムについて説明する。
【００１７】
図１に示すように、本実施形態に係る移動通信システムは、ＬＴＥ-Ａｄｖａｎｃｅｄ方式の移動通信システムであって、コアネットワークノード内の交換局ＭＭＥや、無線基地局ＤｅＮＢや、リレーノードＲＮ等を具備している。
【００１８】
ここで、本実施形態に係る移動通信システムでは、無線基地局ＤｅＮＢと移動局ＵＥ＃２との間で、Ｕｕ無線ベアラが設定可能であり、無線基地局ＤｅＮＢとリレーノードＲＮとの間で、Ｕｎ無線ベアラが設定可能であり、リレーノードＲＮと移動局ＵＥ＃１との間で、Ｕｕ無線ベアラが設定可能であり、リレーノードＲＮと交換局ＭＭＥとの間で、Ｅ-ＲＡＢが設定可能である。
【００１９】
図２（ａ）に示すように、リレーノードＲＮは、トリガ検知部１１と、通知部１２とを具備している。
【００２０】
トリガ検知部１１は、所定トリガを検知するように構成されている。ここで、所定トリガとは、交換局ＭＭＥとの間でコネクション（例えば、Ｅ-ＲＡＢ）を確立する際の所定信号の送信トリガであり、所定信号とは、所定内容が設定されている所定情報を含む信号であり、所定内容とは、「所定信号に関連する各コネクションが、移動局ＵＥとの間で確立されるコネクションではなく、リレーノードＲＮとの間で確立されるコネクションであることを示す内容」である。
【００２１】
通知部１２は、上述の所定信号内の所定情報に、上述の所定内容を設定し、交換局ＭＭＥに対して、かかる所定情報を送信するように構成されている。
【００２２】
例えば、通知部１２は、図３及び図４に示すように、「Ｉｎｉｔｉａｌ  ＵＥ  ＭＥＳＳＡＧＥ（所定信号）」内の「ＲＲＣ  Ｅｓｔａｂｌｉｓｈｍｅｎｔ  ｃａｕｓｅ（所定情報）」に、「ｒｎ-Ｓｅｔｕｐ（所定内容）」を設定するように構成されていてもよい。
【００２３】
また、通知部１２は、図５及び図６に示すように、「ＵＥ  ＣＡＰＡＢＩＬＩＴＹ  ＩＮＦＯ  ＩＮＤＩＣＡＴＩＯＮ（所定信号）」内の「ＵＥ  Ｒａｄｉｏ  Ｃａｐａｂｉｌｉｔｙ（所定情報）」に、「ＵＥに対応するフラグ」ではなく「ＲＮに対応するフラグ（所定内容）」を設定するように構成されていてもよい。
【００２４】
また、通知部１２は、図７及び図８に示すように、「Ｓ１  ＳＥＴＵＰ  ＲＥＱＵＥＳＴ（所定信号）」内の「Ｇｌｏｂａｌ  ｅＮＢ  ＩＤ（所定情報）」に、「ＲＮに対応するＩＤ（所定内容）」を設定するように構成されていてもよい。
【００２５】
例えば、「ＭＳＢ（Ｍｏｓｔ  Ｓｉｇｎｉｆｉｃａｎｔ  Ｂｉｔ：最上位ビット）」が「０」であるＩＤが、「ＵＥに対応するＩＤ」であり、「ＭＳＢ」が「１」であるＩＤが、「ＲＮに対応するＩＤ」であってもよい。
【００２６】
また、通知部１２は、「ＮＡＳ  ＭＥＳＳＡＧＥ（所定信号）」内の「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）又はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）、（所定情報）」に、「ＲＮに対応するＩＤ（所定内容）」を設定するように構成されていてもよい。
【００２７】
例えば、「ＭＳＢ（Ｍｏｓｔ  Ｓｉｇｎｉｆｉｃａｎｔ  Ｂｉｔ：最上位ビット）」が「０」であるＩＤが、「ＵＥに対応するＩＤ」であり、「ＭＳＢ」が「１」であるＩＤが、「ＲＮに対応するＩＤ」であってもよい。
【００２８】
或いは、「ｓｐａｒｅ  ｄｉｇｉｔ」が「０」であるＩＤが、「ＵＥに対応するＩＤ」であり、「ｓｐａｒｅ  ｄｉｇｉｔ」が「１」であるＩＤが、「ＲＮに対応するＩＤ」であってもよい。
【００２９】
例えば、通知部１２は、図９及び図１０に示すように、「ＡＴＴＡＣＨ  ＲＥＱＵＥＳＴ（所定信号）」内の「ＩＭＳＩ（所定情報）」に、「ＲＮに対応するＩＤ（所定内容）」を設定するように構成されていてもよい。
【００３０】
なお、通知部１２は、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」内の「ＩＭＳＩ又はＩＭＥＩ（所定情報）」に、「ＲＮに対応するＩＤ（所定内容）」を設定するように構成されていてもよい。
【００３１】
図２（ｂ）に示すように、交換局ＭＭＥは、受信部２１と、判定部２２と、記憶部２３とを具備している。
【００３２】
受信部２１は、無線基地局ＤｅＮＢやリレーノードＲＮや移動局ＵＥによって送信された信号を受信するように構成されている。
【００３３】
判定部２２は、コネクション（例えば、Ｅ-ＲＡＢ）を確立する際に、受信した所定信号内の所定情報に設定されている内容に基づいて、かかるコネクションが、移動局ＵＥとの間で確立されるコネクションであるか、或いは、リレーノードＲＮとの間で確立されるコネクションであるかについて判定するように構成されている。
【００３４】
例えば、判定部２２は、図３及び図４に示すように、「Ｉｎｉｔｉａｌ  ＵＥ  ＭＥＳＳＡＧＥ（所定信号）」内の「ＲＲＣ  Ｅｓｔａｂｌｉｓｈｍｅｎｔ  ｃａｕｓｅ（所定情報）」に、「ｒｎ-Ｓｅｔｕｐ（所定内容）」が設定されている場合に、かかるコネクションが、リレーノードＲＮとの間で確立されるコネクションであると判定するように構成されていてもよい。
【００３５】
一方、判定部２２は、図３及び図４に示すように、「Ｉｎｉｔｉａｌ  ＵＥ  ＭＥＳＳＡＧＥ（所定信号）」内の「ＲＲＣ  Ｅｓｔａｂｌｉｓｈｍｅｎｔ  ｃａｕｓｅ（所定情報）」に、「ｒｎ-Ｓｅｔｕｐ（所定内容）」が設定されていない場合（或いは、移動局ＵＥ用のＥｓｔａｂｌｉｓｈｍｅｎｔ  Ｃａｕｓｅ、
例えば、「ｍｏ-Ｓｉｇｎａｌｌｉｎｇ」、「ｍｏ-Ｄａｔａ」、「ｍｔ-Ａｃｃｅｓｓ」が設定されている場合）に、かかるコネクションが、移動局ＵＥとの間で確立されるコネクションであると判定するように構成されていてもよい。
【００３６】
また、判定部２２は、図５及び図６に示すように、「ＵＥ  ＣＡＰＡＢＩＬＩＴＹ  ＩＮＦＯ  ＩＮＤＩＣＡＴＩＯＮ（所定信号）」内の「ＵＥ  Ｒａｄｉｏ  Ｃａｐａｂｉｌｉｔｙ（所定情報）」に、「ＲＮに対応するフラグ（所定内容）」が設定されている場合に、かかるコネクションが、リレーノードＲＮとの間で確立されるコネクションであると判定するように構成されていてもよい。
【００３７】
一方、判定部２２は、図５及び図６に示すように、「ＵＥ  ＣＡＰＡＢＩＬＩＴＹ  ＩＮＦＯ  ＩＮＤＩＣＡＴＩＯＮ（所定信号）」内の「ＵＥ  Ｒａｄｉｏ  Ｃａｐａｂｉｌｉｔｙ（所定情報）」に、「ＵＥに対応するフラグ」が設定されている場合に、かかるコネクションが、移動局ＵＥとの間で確立されるコネクションであると判定するように構成されていてもよい。
【００３８】
また、判定部２２は、図７及び図８に示すように、「Ｓ１  ＳＥＴＵＰ  ＲＥＱＵＥＳＴ（所定信号）」内の「Ｇｌｏｂａｌ  ｅＮＢ  ＩＤ（所定情報）」に、「ＲＮに対応するＩＤ（所定内容）」が設定されている場合に、かかるコネクションが、リレーノードＲＮとの間で確立されるコネクションであると判定するように構成されていてもよい。
【００３９】
一方、判定部２２は、図７及び図８に示すように、「Ｓ１  ＳＥＴＵＰ  ＲＥＱＵＥＳＴ（所定信号）」内の「Ｇｌｏｂａｌ  ｅＮＢ  ＩＤ（所定情報）」に、「ｅＮＢに対応するＩＤ」が設定されている場合に、かかるコネクションが、無線基地局ｅＮＢとの間で確立されるコネクションであると判定するように構成されていてもよい。
【００４０】
また、判定部２２は、「ＮＡＳ  ＭＥＳＳＡＧＥ（所定信号）」内の「ＩＭＳＩ又はＩＭＥＩ（所定情報）」に、「ＲＮに対応するＩＤ（所定内容）」が設定されている場合に、かかるコネクションが、リレーノードＲＮとの間で確立されるコネクションであると判定するように構成されていてもよい。
【００４１】
一方、判定部２２は、「ＮＡＳ  ＭＥＳＳＡＧＥ（所定信号）」内の「ＩＭＳＩ又はＩＭＥＩ（所定情報）」に、「ＵＥに対応するＩＤ」が設定されている場合に、かかるコネクションが、移動局ＵＥとの間で確立されるコネクションであると判定するように構成されていてもよい。
【００４２】
例えば、判定部２２は、図９及び図１０に示すように、「ＡＴＴＡＣＨ  ＲＥＱＵＥＳＴ（所定信号）」内の「ＩＭＳＩ（所定情報）」に、「ＲＮに対応するＩＤ（所定内容）」が設定されている場合に、かかるコネクションが、リレーノードＲＮとの間で確立されるコネクションであると判定するように構成されていてもよい。
【００４３】
一方、判定部２２は、「ＡＴＴＡＣＨ  ＲＥＱＵＥＳＴ（所定信号）」内の「ＩＭＳＩ（所定情報）」に、「ＵＥに対応するＩＤ」が設定されている場合に、かかるコネクションが、移動局ＵＥとの間で確立されるコネクションであると判定するように構成されていてもよい。
【００４４】
或いは、判定部２２は、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」内の「ＩＭＳＩ又はＩＭＥＩ（所定情報）」に、「ＲＮに対応するＩＤ（所定内容）」が設定されている場合に、かかるコネクションが、リレーノードＲＮとの間で確立されるコネクションであると判定するように構成されていてもよい。
【００４５】
一方、判定部２２は、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」内の「ＩＭＳＩ又はＩＭＥＩ（所定情報）」に、「ＵＥに対応するＩＤ」が設定されている場合に、かかるコネクションが、移動局ＵＥとの間で確立されるコネクションであると判定するように構成されていてもよい。
【００４６】
本発明の第１の実施形態に係る移動通信システムによれば、交換局ＭＭＥが、コネクションを確立する際に送信される所定信号内の所定情報に設定されている内容に基づいて、各コネクションが、移動局ＵＥとの間で確立されるコネクションであるか、或いは、リレーノードＲＮとの間で確立されるコネクションであるかについて判定することができる。
【００４７】
（変更例１）
なお、交換局ＭＭＥの判定部２２は、コネクションを確立する際に受信する所定信号だけではなく、その他の信号内の所定情報に設定されている所定内容に基づいて、かかるコネクションが、移動局ＵＥとの間で確立されているコネクションであるか、或いは、リレーノードＲＮとの間で確立されているコネクションであるかについて判定するように構成されている。
【００４８】
例えば、交換局ＭＭＥの判定部２２は、「ＤＥＴＡＣＨ  ＲＥＱＵＥＳＴ」内の「ＩＭＳＩ（所定情報）」に、「ＲＮに対応するＩＤ（所定内容）」が設定されている場合に、かかるコネクションが、リレーノードＲＮとの間で確立されているコネクションであると判定するように構成されていてもよい。
【００４９】
一方、判定部２２は、「ＤＥＴＡＣＨ  ＲＥＱＵＥＳＴ」内の「ＩＭＳＩ（所定情報）」に、「ＵＥに対応するＩＤ」が設定されている場合に、かかるコネクションが、移動局ＵＥとの間で確立されているコネクションであると判定するように構成されていてもよい。
【００５０】
すなわち、リレーノードＲＮの通知部１２は、「ＤＥＴＡＣＨ  ＲＥＱＵＥＳＴ」内の「ＩＭＳＩ（所定情報）」に、「ＲＮに対応するＩＤ（所定内容）」を設定するように構成されていてもよい。
【００５１】
（変更例１）
以下、図１１乃至図１３を参照して、本発明の第１の実施形態に係る移動通信システムの変更例１について説明する。
【００５２】
図１１に示すように、本変更例１に係る無線基地局ＤｅＮＢは、受信部３１と、送信部３２とを具備している。ここで、図１２及び図１３を参照して、本変更例１に係る移動通信システムの動作について説明する。
【００５３】
第１に、リレーノードＲＮが、交換局ＭＭＥとの間でコネクションを確立する際に、図１２に示すように、送信部３２が、リレーノードＲＮに対して、問い合わせ信号（具体的には、ＲＲＣメッセージである「ＵＥ  Ｃａｐａｂｉｌｉｔｙ  Ｅｎｑｕｉｒｙ」）を送信する。
【００５４】
第２に、リレーノードＲＮの通知部１２が、無線基地局ＤｅＮＢからの問い合わせ信号に応じて、無線基地局ＤｅＮＢに対して、かかるコネクションがリレーノードＲＮとの間で確立されるコネクションであることを示す通知信号（具体的には、「ＵＥ  Ｃａｐａｂｉｌｉｔｙ  Ｉｎｆｏｒｍａｔｉｏｎ」）を送信する。
【００５５】
第３に、無線基地局ＤｅＮＢの受信部３１が、かかる通知信号を受信すると、無線基地局ＤｅＮＢの送信部３２が、交換局ＭＭＥに対して、上述のコネクションがリレーノードとの間で確立されるコネクションであることを示す所定情報（具体的には、「ＵＥ  Ｒａｄｉｏ  Ｃａｐａｂｉｌｉｔｙ」）を含む所定信号（具体的には、「ＵＥ  ＣＡＰＡＢＩＬＩＴＹ  ＩＮＦＯ  ＩＮＤＩＣＡＴＩＯＮ」）を送信する。
【００５６】
なお、かかる「ＵＥ  ＣＡＰＡＢＩＬＩＴＹ  ＩＮＦＯ  ＩＮＤＩＣＡＴＩＯＮ」のフォーマットは、例えば、図５に示すフォーマットと同一であってもよい。
【００５７】
以上に述べた本実施形態の特徴は、以下のように表現されていてもよい。
【００５８】
本実施形態の第１の特徴は、移動通信方法であって、リレーノードＲＮが、交換局ＭＭＥとの間でコネクションを確立する際に、所定信号を送信する工程と、交換局ＭＭＥが、受信した所定信号内の所定情報に設定されている内容に基づいて、かかるコネクションが、移動局ＵＥとの間で確立されるコネクションであるか、或いは、リレーノードＲＮとの間で確立されるコネクションであるかについて判定する工程とを有することを要旨とする。
【００５９】
本実施形態の第２の特徴は、交換局ＭＭＥであって、コネクションを確立する際に、受信した所定信号内の所定情報に設定されている内容に基づいて、かかるコネクションが、移動局ＵＥとの間で確立されるコネクションであるか、或いは、リレーノードＲＮとの間で確立されるコネクションであるかについて判定するように構成されている判定部２２を具備することを要旨とする。
【００６０】
本実施形態の第３の特徴は、リレーノードＲＮであって、交換局ＭＭＥとの間でコネクションを確立する際に、交換局ＭＭＥに対して送信する所定信号内の所定情報に、かかるコネクションが、移動局ＵＥとの間で確立されるコネクションではなく、リレーノードＲＮとの間で確立されるコネクションであることを示す内容を設定するように構成されている通知部１２を具備することを要旨とする。
【００６１】
本実施形態の第１乃至第３の特徴において、上述の所定信号は、「Ｉｎｉｔｉａｌ  ＵＥ  ＭＥＳＳＡＧＥ」であり、上述の所定情報は、「ＲＲＣ  Ｅｓｔａｂｌｉｓｈｍｅｎｔ  ｃａｕｓｅ」であってもよい。
【００６２】
本実施形態の第１乃至第３の特徴において、上述の所定信号は、「ＵＥ  ＣＡＰＡＢＩＬＩＴＹ  ＩＮＦＯ  ＩＮＤＩＣＡＴＩＯＮ」であり、上述の所定情報は、「ＵＥ  Ｒａｄｉｏ  Ｃａｐａｂｉｌｉｔｙ」であってもよい。
【００６３】
本実施形態の第１乃至第３の特徴において、上述の所定信号は、「Ｓ１  ＳＥＴＵＰ  ＲＥＱＵＥＳＴ」であり、上述の所定情報は、「Ｇｌｏｂａｌ  ｅＮＢ  ＩＤ」であってもよい。
【００６４】
本実施形態の第１乃至第３の特徴において、上述の所定信号は、「ＮＡＳ  ＭＥＳＳＡＧＥ」であり、上述の所定情報は、「ＩＭＳＩ」又は「ＩＭＥＩ」であってもよい。
【００６５】
本実施形態の第１乃至第３の特徴において、上述の「ＮＡＳ  ＭＥＳＳＡＧＥ」は、「ＡＴＴＡＣＨ  ＲＥＱＵＥＳＴ」、「ＳＥＲＶＩＣＥ  ＲＥＱＵＥＳＴ」、「ＥＸＴＥＮＤＥＤ  ＳＥＲＶＩＣＥ  ＲＥＱＵＥＳＴ」又は「ＴＲＡＣＫＩＮＧ  ＡＲＥＡ  ＵＰＤＡＴＥ  ＲＥＱＵＥＳＴ」の少なくとも１つであってもよい。
【００６６】
本実施形態の第４の特徴は、移動通信方法であって、リレーノードＲＮが、交換局ＭＭＥとの間でコネクションを確立する際に、無線基地局ＤｅＮＢからの問い合わせ信号に応じて、無線基地局ＤｅＮＢに対して、かかるコネクションがリレーノードＲＮとの間で確立されるコネクションであることを示す通知信号を送信する工程と、無線基地局ＤｅＮＢが、交換局ＭＭＥに対して、かかるコネクションがリレーノードＲＮとの間で確立されるコネクションであることを示す所定情報を含む所定信号を送信する工程とを有することを要旨とする。
【００６７】
本実施形態の第５の特徴は、リレーノードＲＮであって、交換局ＭＭＥとの間でコネクションを確立する際に、無線基地局ＤｅＮＢからの問い合わせ信号に応じて、無線基地局ＤｅＮＢに対して、かかるコネクションがリレーノードＲＮとの間で確立されるコネクションであることを示す通知信号を送信するように構成されている通知部１２を具備することを要旨とする。
【００６８】
本実施形態の第６の特徴は、無線基地局ＤｅＮＢであって、リレーノードＲＮが、交換局ＭＭＥとの間でコネクションを確立する際に、リレーノードＲＮに対して、問い合わせ信号を送信することによって、リレーノードＲＮから、かかるコネクションがリレーノードとの間で確立されるコネクションであることを示す通知信号を取得するように構成されている受信部３１と、交換局ＭＭＥに対して、かかるコネクションがリレーノードとの間で確立されるコネクションであることを示す所定情報を含む所定信号を送信するように構成されている送信部３２とを具備することを要旨とする。
【００６９】
本実施形態の第４乃至第６の特徴において、上述の問い合わせ信号は、「ＵＥ  Ｃａｐａｂｉｌｉｔｙ  Ｅｎｑｕｉｒｙ」であり、上述の通知信号は、「ＵＥ  Ｃａｐａｂｉｌｉｔｙ  Ｉｎｆｏｒｍａｔｉｏｎ」であり、上述の所定信号は、「ＵＥ  ＣＡＰＡＢＩＬＩＴＹ  ＩＮＦＯ  ＩＮＤＩＣＡＴＩＯＮ」であり、上述の所定情報は、「ＵＥ  Ｒａｄｉｏ  Ｃａｐａｂｉｌｉｔｙ」であってもよい。
【００７０】
なお、上述の無線基地局ＤｅＮＢやリレーノードＲＮや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥや交換局ＭＭＥ内に設けられていてもよい。また、かかる記憶媒体及びプロセッサは、ディスクリートコンポーネントとして無線基地局ＤｅＮＢやリレーノードＲＮや移動局ＵＥや交換局ＭＭＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ＲＮ…リレーノード
１１…トリガ検出部
１２…通知部
ＭＭＥ…交換局
２１…受信部
２２…判定部
２３…記憶部
ＤｅＮＢ…無線基地局
３１…受信部
３２…送信部
【図１】
2011030185.tif 000003
【図２】
2011030185.tif 000004
【図３】
2011030185.tif 000005
【図４】
2011030185.tif 000006
【図５】
2011030185.tif 000007
【図６】
2011030185.tif 000008
【図７】
2011030185.tif 000009
【図８】
2011030185.tif 000010
【図９】
2011030185.tif 000011
【図１０】
2011030185.tif 000012
【図１１】
2011030185.tif 000013
【図１２】
2011030185.tif 000014
【図１３】
2011030185.tif 000015